(57)【特許請求の範囲】
【請求項１】
ドア（１）とドア枠（２）との間に設けられて、ドア（１）の開放量を出入り不能な開放量に規制し、かつドア（１）を換気可能に開放保持できる牽制アーム（３）とアーム受具（５）とを備えており、
アーム受具（５）は、牽制アーム（３）のスライド溝（８）と係合する掛止ピン（１３）と、掛止ピン（１３）を支持するピン台（１４）とを備えており、
掛止ピン（１３）は、ピン台（１４）で軸支される支軸部（１６）とピン台（１４）の外面に突出する掛止軸部（１７）とを一体に備えていて、掛止軸部（１７）がスライド溝（８）と交差する使用位置と、使用位置から所定角度揺動してスライド溝（８）の外へ退避する不使用位置との間を揺動でき、
使用位置において、互いに凹凸係合して掛止ピン（１３）が不使用位置へ揺動するのを規制する突起（２１）と凹部（２６）とが、掛止ピン（１３）とピン台（１４）との間に設けられており、
掛止ピン（１３）の支軸部（１６）は、ピン台（１４）に設けた軸受溝（２４）で回動可能に、かつ突起（２１）と凹部（２６）とが係脱できる向きへスライド可能に軸支されて、ばね（１５）で突起（２１）と凹部（２６）とが係合する向きに移動付勢してあり、
掛止ピン（１３）の支軸部（１６）の周面と、ピン台（１４）の軸受溝（２４）の内奥面とのそれぞれに、互いに面接合して掛止ピン（１３）を使用位置および不使用位置においてそれぞれ位置保持するクリック面（１８・２８）が設けられており、
支軸部（１６）を移動付勢する前記ばね（１５）が、クリック面（１８・２８）どうしを接合保持するクリックばね（２９）を兼ねていることを特徴とするドアガード。
【請求項２】
掛止ピン（１３）の掛止軸部（１７）の突出基端に揺動規制用の前記突起（２１）が一体に設けられ、ピン台（１４）に設けた掛止軸部（１７）用の逃げ溝（２３）の内面に突起（２１）を受け入れる凹部（２６）が一体に凹み形成してある請求項１記載のドアガード。
【請求項３】
牽制アーム（３）のスライド溝（８）の奥端に、掛止ピン（１３）の掛止軸部（１７）の周面に接当して、ドア（１）を換気可能に開放保持するロック体（１０）が設けられており、
牽制アーム（３）は、ブラケット（４）で揺動可能に軸支されて、両者（３・４）間に設けたクリック機構で、待機位置と牽制位置において位置保持できるように構成してある請求項１または２記載のドアガード。
【請求項４】
掛止ピン（１３）がピン台（１４）で、使用位置から不使用位置を経由して、１８０度反転揺動した第２の不使用位置へ揺動可能に軸支してある請求項１、２または３記載のドアガード。
【請求項５】
ピン台（１４）は上下方向に長い直方体状を呈しており、
ピン台（１４）の上下方向の中央には、直方体状の長辺部と直交する方向に向かって、該ピン台（１４）の中央を横断するように逃げ溝（２３）が凹み形成されており、
この逃げ溝（２３）に臨む上下壁に、掛止ピン（１３）の支軸部（１６）を軸支する一対の軸受溝（２４）と、支軸部突端のばね掛軸（１９）を受け入れる一対のガイド溝（２５）とが形成されており、
ガイド溝（２５）は、軸受溝（２４）の内奥から遠ざかる向きへ鋳抜き形成されており、
ガイド溝（２５）に面して設けた開口（３０）内に、支軸部（１６）を移動付勢する捻りコイル形のばね（１５）が組み込んである請求項１、２、３または４記載のドアガード。  
【発明の詳細な説明】
【０００１】
【発明の属する技術分野】
この発明は、ドアを換気可能に開放保持できるドアガード、とくに牽制アームと係合するアーム受具の掛止ピンが、衣服等の引っ掛かりを防ぐために、使用位置と不使用位置とに揺動変位可能に軸支してある形態のドアガードに関する。
【０００２】
【従来の技術】
ドアを換気位置において開放保持できるドアガードは、例えば実公平５−２９３２９号公報や登録実用新案第３０１８１９２号公報に公知である。いずれも牽制アームのスライド溝の奥端に掛止ピンを捕捉係合するロック体が設けてある。衣服等の引っ掛かりを防ぐために、掛止ピンを使用位置と不使用位置とに揺動可能に軸支するアーム受具は、登録実用新案第３０１０６７６号公報や、特開平８−５３９７１号公報等に公知である。掛止ピンと、掛止ピンを軸支するピン台との間には、掛止ピンを使用および不使用の各位置において位置保持するためのクリック機構が設けてある。同様に、牽制アームも待機位置と牽制位置の各位置において、クリック機構で位置保持できるようにしてある。
【０００３】
【発明が解決しようとする課題】
牽制アームを突っ支い棒に利用して、ドアを換気位置に開放保持するドアガードの殆どは、掛止ピンを揺動不能に構成する。換気開放状態のドアに誤ってぶつかったような場合に、掛止ピンが不使用位置側へ傾動するのを避け、換気状態を確実に維持するためである。しかし、この種の掛止ピンは、ドアを閉じた状態においてドア枠の内面に突出するので、衣服を引っ掛けるおそれがある。
【０００４】
掛止ピンを使用位置と不使用位置とに揺動変位できるアーム受具は、掛止ピンをばねを用いたクリック機構で各位置において位置保持しているに過ぎない。そのため、ドアを開放した状態において、掛止ピンとドアとの間に板ばね状の解錠具を取り付けてドアを閉じると、掛止ピンを不使用位置へ切り換えることができ、防犯上問題がある。
【０００５】
使用位置において掛止ピンを揺動不能に固定保持することは不可能ではないが、そのために新たに部品を追加すると、その分だけアーム受具のコストが嵩んでしまう。クリックばねとして板ばねを用いるアーム受具においては、板ばねをビスでホルダーに止め付けるので、アーム受具の構成部品点数が増え、さらに掛止ピンを軸支するホルダーや板ばねの加工に多くの手間が不可欠であるため、アーク受具の製造コストが高く付いてしまう不利もある。
【０００６】
この発明の目的は、衣服等の引っ掛かりを防ぐために、掛止ピンが使用位置と不使用位置とに揺動可能に軸支してあるドアガードでありながら、ドアを換気開放する場合には、掛止ピンを使用位置において揺動不能に係合保持できるドアガードを提供することにある。この発明の他の目的は、掛止ピンを使用位置と不使用位置において位置保持するためのクリック機構と、掛止ピンを使用位置において揺動不能に係合保持するロック機構とを備えていながら、部品点数を最小限化して、その分だけ製造コストが少なくて済むドアガードを提供することにある。この発明の他の目的は、使用位置と不使用位置とに揺動変位できる掛止ピンを備えていながら、掛止ピンが不正に不使用位置側へ切り換え操作されるのを確実に防止でき、従って防犯効果に優れたドアガードを提供することにある。
【０００７】
【課題を解決するための手段】
この発明のドアガードは、ドア１とドア枠２との間に設けられて、ドア１の開放量を出入り不能な開放量に規制し、かつドア１を換気可能に開放保持できる牽制アーム３とアーム受具５とを備えている。アーム受具５は、牽制アーム３のスライド溝８と係合する掛止ピン１３と、掛止ピン１３を支持するピン台１４とを備えている。掛止ピン１３は、ピン台１４で軸支される支軸部１６とピン台１４の外面に突出する掛止軸部１７とを一体に備えていて、掛止軸部１７がスライド溝８と交差する使用位置と、使用位置から所定角度揺動してスライド溝８の外へ退避する不使用位置との間を揺動できる。使用位置において、互いに凹凸係合して掛止ピン１３が不使用位置へ揺動するのを規制する突起２１と凹部２６とを、掛止ピン１３とピン台１４との間に設ける。掛止ピン１３の支軸部１６は、ピン台１４に設けた軸受溝２４で回動可能に、かつ突起２１と凹部２６とが係脱できる向きへスライド可能に軸支されて、ばね１５で突起２１と凹部２６とが係合する向きに移動付勢してある。
【０００８】
具体的には、掛止ピン１３の支軸部１６の周面と、ピン台１４の軸受溝２４の内奥面とのそれぞれに、互いに面接合して掛止ピン１３を使用位置および不使用位置においてそれぞれ位置保持するクリック面１８・２８を設ける。支軸部１６を移動付勢する前記ばね１５を、クリック面１８・２８どうしを接合保持するクリックばね２９で兼ねて部品数の増加を避ける。
【０００９】
掛止ピン１３の掛止軸部１７の突出基端に揺動規制用の突起２１を一体に設け、ピン台１４に設けた掛止軸部１７用の逃げ溝２３の内面に突起２１を受け入れる凹部２６を一体に凹み形成する。
【００１０】
牽制アーム３のスライド溝８の奥端に、掛止ピン１３の掛止軸部１７の周面に接当して、ドア１を換気可能に開放保持するロック体１０を設ける。牽制アーム３は、ブラケット４で揺動可能に軸支されて、両者３・４間に設けたクリック機構で、待機位置と牽制位置において位置保持できるように構成する。
【００１１】
掛止ピン１３はピン台１４で、使用位置から不使用位置を経由して、１８０度反転揺動した第２の不使用位置へ揺動可能に軸支する。
【００１２】
ピン台１４は上下方向に長い直方体状を呈するものとする。ピン台１４の上下方向の中央に、直方体状の長辺部と直交する方向に向かって、該ピン台１４の中央を横断するように逃げ溝２３を凹み形成する。この逃げ溝２３に臨む上下壁に、掛止ピン１３の支軸部１６を軸支する一対の軸受溝２４と、支軸部突端のばね掛軸１９を受け入れる一対のガイド溝２５とを形成する。ガイド溝２５を、軸受溝２４の内奥から遠ざかる向きへ鋳抜き形成する。ガイド溝２５に面して設けた開口３０内に、支軸部１６を移動付勢する捻りコイル形のばね１５を組み込む。
【００１３】
【作用および発明の効果】
掛止ピン１３の支軸部１６をピン台１４に設けた軸受溝２４で回動可能にしかも、突起２１と凹部２６とが係脱できる向きへスライド可能に軸支し、使用位置に揺動した掛止ピン１３を、突起２１と凹部２６が互いに係合することによって、揺動不能な状態に保持できるようにした。従って、この発明のドアガードによれば、換気開放状態のドア１に誤ってぶつかった場合にも、掛止ピン１３が不使用位置側へ揺動するのを防止して、ドア１を確実に開放状態に維持できる。また、ドア１を閉じ操作した後、掛止ピン１３をばね１５の付勢力に抗しながら、押し込み操作し、突起２１と凹部２６との係合を解除した状態で掛止ピン１３を揺動操作すると、掛止ピン１３を不使用位置に切り換えて、衣服の引っ掛かりを防ぐことができる。
【００１４】
上記のように、掛止ピン１３は掛止軸部１７の軸中心に沿って押し込み操作したうえで、支軸部１６を中心にして揺動操作すると、不使用位置へ切り換えることができる。しかし、牽制アーム３が掛止ピン１３と係合している状態では、牽制アーム３が邪魔になって掛止ピン１３を押し込み操作できない。従って、牽制アーム３で規定されたドア隙間から手を差し込んで掛止ピン１３を切り換え操作できないのはもちろんのこと、何等かの器具や治具を用いたとしても、掛止ピン１３が屋外側から切り換え操作されるのを確実に阻止して、ドアガードの防犯機能を向上できる。
【００１５】
掛止ピン１３の支軸部１６と、ピン台１４の軸受溝２４の内奥面とのそれぞれに、互いに接合して掛止ピン１３を使用位置と不使用位置において位置保持するクリック面１８・２８を設け、支軸部１６を移動付勢するためのばね１５を、クリックばね２９として利用したアーム受具５によれば、クリック機構とロック機構とを備えているアーム受具５であるにもかかわらず、その構成部品点数を最小限化して、ドアガードの製造に要するコストを減らすことができる。
【００１６】
掛止ピン１３を使用位置に位置保持するための突起２１と凹部２６とは、掛止ピン１３と逃げ溝２３とのいずれの側にでも設けることができる。しかし、突起２１を掛止ピン１３に、凹部２６を逃げ溝２３にそれぞれ設けると、逆の形態を採る場合に比べて、掛止ピン１３とピン台１４の加工を容易化でき、両者の加工に要するコストを削減することができる。掛止ピン１３の剛性を強化できる点でも有利である。
【００１７】
牽制アーム３に設けたロック体１０を掛止ピン１３に接当係合させて、ドア１を換気状態に開放保持するドアガードによれば、ドア１を閉じ位置から単に開き操作するだけで、ロック体１０を掛止ピン１３に接当係合させてドア１を開放保持できるうえ、ロック体１０の弾性に抗してドア１を閉じ操作するだけで、ロック体１０と掛止ピン１３との接当係合を解除できる。つまり、ロック体１０を切り換える必要もなくドア１を開放保持し、あるいは閉じ操作できる。
【００１８】
掛止ピン１３を使用位置から１８０度反転した第２の不使用位置へ揺動可能に軸支したアーム受具５によれば、ドアガードを外開きドア以外に、内開きドアや親子ドアにも適用できるうえ、左右の勝手違いにも対応できるので、１種のアーム受具５を用意しておくだけで、全てのドア構造に適用できる汎用性に優れたドアガードを得ることができる。
【００１９】
ピン台１４に軸受溝２４とガイド溝２５とを鋳抜き形成し、ガイド溝２５に面して鋳抜き形成した開口３０内に、支軸部１６を移動付勢するためのばね１５を組み込んだアーム受具５によれば、掛止ピン１３の支軸部１６を軸受溝２４に組み付けた後、ピン台１４の締結面の側からばね１５を組むだけでアーム受具５を完成できるので、組み立てに要する手間を減らすことができる。さらに、ばね１５を掛止ピン１３の抜け止め体として利用するので、その分だけアーム受具５の構造を簡素化して、製造コストを節約できる。
【００２０】
【実施例】
図１ないし図９はこの発明に係るドアガードを外開きドアに適用した実施例を示す。図２において、符号１は一側端が揺動自在に支持してあるドア、２はそのドア枠である。ドアガードはドア１の側に装着される牽制アーム３と、牽制アーム３を支持するブラケット４と、ドア枠２側に装着されるアーム受具５とからなる。
【００２１】
図３において、ブラケット４はビスで締結される座板６の片面に、上下一対の軸受部７を立設したダイキャスト成形品からなる。牽制アーム３はアーム本体３Ａと外装体３Ｂとからなり、前者はステンレス板材製のプレス成形品で、後者はプラスチック成形品で形成してある。アーム本体３Ａと外装体３ＢとはそれぞれＵ字枠状に形成されており、外装体３Ｂをアーム本体３Ａに外嵌装着することにより一体化される。Ｕ字枠部の間に、後述する掛止ピン１３と相対スライドするスライド溝８を設け、その開口端の側にスライド溝８より広幅の溝始端９を設ける。スライド溝８の奥端寄りには、掛止ピン１３を係合保持する一対のロック体１０が、外装体３Ｂと一体に形成してある。ロック体１０は弾性変形して掛止ピン１３の通過を許す。
【００２２】
牽制アーム３の溝始端９側の端部をブラケット４の軸受部７の間に当てがい、これらをピン１１で連結することにより、牽制アーム３はドア１の内面に沿う待機姿勢（図２に想像線で示す状態）と、ドア１の面壁とほぼ直交する牽制姿勢（図２に実線で示す状態）とに揺動変位できる。図示していないが、牽制アーム３とブラケット４との間にはクリック機構が設けてあって、上記の各姿勢において牽制アーム３を位置保持できる。
【００２３】
アーム受具５は、先のスライド溝８と係合する掛止ピン１３と、掛止ピン１３を支持するピン台１４、および掛止ピン１３を移動付勢する一対のばね１５とで構成する。
【００２４】
図４において掛止ピン１３は、支軸部１６と支軸部１６の中央から突設される掛止軸部１７とを一体に設けたＴ字状のダイキャスト成形品からなる。支軸部１６の両側端の周面４個所には、平坦面からなるクリック面１８を形成し、さらに支軸部１６の両側端に小径のばね掛軸１９を設ける。掛止軸部１７は丸軸で形成し、その突端に丸軸部分より大径の抜け止め用の頭部２０を設ける。丸軸部の基端の両側には、角ブロック状の突起２１を設ける。
【００２５】
ピン台１４は上下に長い直方体状のダイキャスト成形品からなり、その上下中央にピン台１４を内外に横断する逃げ溝２３を凹み形成し、逃げ溝２３に臨む上下壁に先の支軸部１６を受け入れる軸受溝２４と、ばね掛軸１９を受け入れるガイド溝２５とを鋳抜き形成している。この鋳抜き開口の側から掛止ピン１３の支軸部１６を軸受溝２４内へ差し込み装填することにより、掛止ピン１３は支軸部１６を中心にして揺動自在に、しかも支軸部１６が軸受溝２４に沿ってスライド可能に軸支される。
【００２６】
上記のように掛止ピン１３をピン台１４で軸支することにより、掛止ピン１３は、掛止軸部１７がドア枠２から直交状に突出して、その丸軸部が逃げ溝２３で受け止められる使用位置（図２に実線で示す状態）と、使用位置から室内外へ９０度揺動して、掛止軸部１７がドア枠２に沿う不使用位置（図２に想像線で示す状態）との間を揺動できる。
【００２７】
使用位置における掛止ピン１３を、内外方向のいずれへも揺動不能にロック保持するために、逃げ溝２３の内奥に突起２１用の凹部２６を凹み形成し、支軸部１６を一対のばね１５で突起２１が凹部２６と係合する向きに移動付勢している。ばね１５は捻りコイル形のばねからなり、ばね腕の一方をばね掛軸１９の周回溝に係止し、他方のばね腕をピン台１４の内面壁で受け止める。
【００２８】
使用位置と不使用位置において、掛止ピン１３を位置保持するために、掛止ピン１３の支軸部１６の両端に４個のクリック面１８を設け、さらに軸受溝２４の内奥面に平坦面からなるクリック面２８を設けている。先のばね１５は、両クリック面１８・２８を接合付勢するためのクリックばね２９を兼ねている。
【００２９】
掛止ピン１３をピン台１４に組み込んだ状態において、一対のばね掛軸１９はガイド溝２５に面した開口３０（図４参照）を介して、ピン台１４の内面に突出している。この開口３０の内方に先のばね１５を、ピン台１４の締結面の側から組み込んで、図５に示すようにばね掛軸１９に掛止することにより、掛止ピン１３は軸受溝２４の奥端の側へ向かって移動付勢され、同時に軸受溝２４から抜け外れ不能に保持される。
【００３０】
アーム受具５は、掛止ピン１３が水平回動する状態でドア枠２にビス止めする。ドア１を閉じた状態において掛止ピン１３を使用位置に切り換え、さらに牽制アーム３を室内側へ揺動して牽制姿勢にすると、掛止軸部１７とスライド溝８とが交差する。従って、ドア１を開き操作すると、ドア１と同行揺動する牽制アーム３が掛止軸部１７に対して相対スライドする。掛止軸部１７がスライド溝８の奥端に達する直前に、掛止軸部１７はロック体１０を弾性変形させながら乗り越え、溝端とロック体１０とによって係合捕捉される。この状態で換気を行う。ロック体１０の弾性に抗してドア１を閉じ操作すると、掛止軸部１７がロック体１０を逆向きに乗り越えてドア１側へ相対移動するので、支障なくドア１を全閉操作できる。
【００３１】
掛止ピン１３を不使用位置へ戻す場合には、牽制アーム３を待機位置へ戻した後、図６および図７に示すように掛止軸部１７をばね１５の付勢力に抗して押し込み操作し、突起２１と凹部２６との係合を解除する。その状態のまま掛止ピン１３を図７に矢印で示す向きへ揺動操作することにより、掛止ピン１３を不使用位置へ切り換えることができる。その間に、クリック面１８の間の支軸部１６の円弧周面がピン台１４側のクリック面２８に接当する（図８および図９参照）。従って、掛止ピン１３を不使用位置まで揺動させると、両クリック面１８・２８面はばね１５の付勢力を受けてパチンと接合するので、使用者は掛止ピン１３が確実に不使用位置へ切換わったことを知ることができる。使用位置においても同様のクリック感を得ることができる。
【００３２】
上記のドアガードは、図２に示すように掛止ピン１３が使用位置から不使用位置を経由して、１８０度反転した第２の不使用位置まで揺動できる。こうしたドアガードによれば、外開きドア以外に、内開きドアや親子ドアにもドアガードを共通して適用できるうえ、上下対称の構造であるのでドアの左右勝手の違いにも対応できる。
【００３３】
上記の実施例以外に、突起２１をピン台１４側に設け、凹部２６を支軸部１６に設けることができる。なお、掛止ピン１３用のクリックばねは、支軸部１６とピン台１４との間に別途設けることができる。
【図面の簡単な説明】
【図１】図２におけるＡ−Ａ線断面図である。
【図２】アーム受け具を破断したドアガードの平面図である。
【図３】図２におけるＢ−Ｂ線矢視図である。
【図４】掛止ピンと中央で破断したピン台の分解斜視図である。
【図５】ばねの掛止構造を示すアーム受具の横断平面図である。
【図６】図１におけるＣ−Ｃ線断面図である。
【図７】掛止ピンの揺動途中状態を示す断面図である。
【図８】図１におけるＤ−Ｄ線断面図である。
【図９】支軸部の回動途中状態を示す断面図である。
【符号の説明】
１  ドア
２  ドア枠
３  牽制アーム
５  アーム受具
８  スライド溝
１３  掛止ピン
１４  ピン台
１５  ばね
１６  支軸部
１７  掛止軸部
２１  突起
２３  逃げ溝
２４  軸受溝
２６  凹部
【図１】
0004197382.tif 000002
【図２】
0004197382.tif 000003
【図３】
0004197382.tif 000004
【図４】
0004197382.tif 000005
【図５】
0004197382.tif 000006
【図６】
0004197382.tif 000007
【図７】
0004197382.tif 000008
【図８】
0004197382.tif 000009
【図９】
0004197382.tif 000010